(57)【要約】      （修正有）【課題】紙屑を導出し易く、消火が可能な廃棄屑収集装置を提供する。【解決手段】収集箱１を含む廃棄屑収集装置であり、収集箱の底部には、円錐状筒２が連通し、円錐状筒の底部には、排出ゲート３がヒンジ接続され、排出ゲートの表面には、バックル４が回転可能に接続され、円錐状筒の表面の底部には、係止柱が設けられ、収集箱の右側壁の表面には、ブラケット６が溶接され、ブラケットの頂部の表面には、水タンク７が設けられ、水タンクの頂部の表面には、手動回転ポンプ８が設けられ、収集箱の右側壁の表面の頂部には、套管９が嵌合して接続され、套管の内腔には、霧化ノズルが挿入され、収集箱の表面には、観察窓１３が嵌合して接続される。バックルと係止柱により廃棄屑が導出されやすく、円錐状筒により廃棄屑の導出速度が速くなる。手動回転ポンプを手動で回すことにより、廃棄屑収集装置における廃棄屑に対して消火することができる。【選択図】図１
0003233402.tif 000002
【実用新案登録請求の範囲】
【請求項１】
収集箱（１）を含む廃棄屑収集装置であって、
前記収集箱（１）の底部には、円錐状筒（２）が連通し、
前記円錐状筒（２）の底部には、排出ゲート（３）がヒンジ接続され、
前記排出ゲート（３）の表面には、バックル（４）が回転可能に接続され、
前記円錐状筒（２）の表面の底部には、係止柱（５）が設けられ、
前記収集箱（１）の右側壁の表面には、ブラケット（６）が溶接され、
前記ブラケット（６）の頂部の表面には、水タンク（７）が設けられ、
前記水タンク（７）の頂部の表面には、手動回転ポンプ（８）が設けられ、
前記収集箱（１）の右側壁の表面の頂部には、套管（９）が嵌合して接続され、
前記套管（９）の内腔には、霧化ノズル（１０）が挿入され、
前記収集箱（１）の表面には、観察窓（１３）が嵌合して接続される
ことを特徴とする廃棄屑収集装置。
【請求項２】
請求項１に記載の廃棄屑収集装置であって、
前記係止柱（５）は、前記バックル（４）の真上に位置する
ことを特徴とする廃棄屑収集装置。
【請求項３】
請求項１に記載の廃棄屑収集装置であって、
前記バックル（４）は、前記係止柱（５）に係合して接続される
ことを特徴とする廃棄屑収集装置。
【請求項４】
請求項１に記載の廃棄屑収集装置であって、
前記手動回転ポンプ（８）の入力端は、管路を介して水タンク（７）の出力端に接続される
ことを特徴とする廃棄屑収集装置。
【請求項５】
請求項１に記載の廃棄屑収集装置であって、
前記霧化ノズル（１０）の入力端は、管路を介して手動回転ポンプ（８）の出力端に接続される
ことを特徴とする廃棄屑収集装置。
【請求項６】
請求項１に記載の廃棄屑収集装置であって、
前記収集箱（１）の内腔の右側壁の頂部には、前記套管（９）の頂部の一方側に位置する第１ストッパー（１１）が設けられる
ことを特徴とする廃棄屑収集装置。
【請求項７】
請求項１に記載の廃棄屑収集装置であって、
前記手動回転ポンプ（８）の頂部の一方側には、第２ストッパー（１２）が設けられ、
前記第２ストッパー（１２）の一端には、収集箱（１）が接続される
ことを特徴とする廃棄屑収集装置。
【請求項８】
請求項１に記載の廃棄屑収集装置であって、
前記収集箱（１）の頂部の表面には、供給パイプ（１４）が設けられる
ことを特徴とする廃棄屑収集装置。
【請求項９】
請求項８に記載の廃棄屑収集装置であって、
前記供給パイプ（１４）の頂部の表面には、蓋板（１５）が設けられる
ことを特徴とする廃棄屑収集装置。
【請求項１０】
請求項１に記載の廃棄屑収集装置であって、
前記収集箱（１）の両外側壁の頂部には、それぞれ吊耳（１６）が溶接される
ことを特徴とする廃棄屑収集装置。
【考案の詳細な説明】
【技術分野】
【０００１】
本考案は、廃棄屑収集装置技術領域に関し、特に、廃棄屑収集装置に関する。
【背景技術】
【０００２】
紙とは、植物繊維を絡ませながら薄く平に成形したものであり、文字や絵の記入、印刷、包装等に使用され、任意に折り畳むことができる。紙は、筆記や印刷のキャリアであり、包装や液体吸収等の他の目的にも使用され、例えば、印刷用紙、カーボン紙、トイレットペーパー、ティッシュペーパー等が挙げられる。紙の発明及び普及により、泥、石、木、陶器、金属、等の材料を使用して文字や絵を記録することができなくなり、大量の古代情報が広められ、保存されてきました。紙の発明と普及により、人間は泥、石、木、陶器、金属等の材料を使用しなくても、文字や絵を記入することができ、大量の古代の情報が広められ、保存された。
【０００３】
しかしながら、従来の廃棄屑収集装置は、以下の欠点を有する。
現在、製紙工場は、生産中に大量の紙屑が発生するため、収集して処分する必要がある。しかしながら、従来の廃棄屑収集装置が紙屑を導出し難く、紙屑が廃棄屑収集装置の内部で自発燃焼が発生する場合、作業者が消火し難いため、廃棄屑収集装置の安全性と効率が低下する。
【考案の概要】
【０００４】
本考案は、以下の問題を解決するために、廃棄屑収集装置を提供する。製紙工場は、生産中に大量の紙屑が発生するため、収集して処分する必要がある。しかしながら、従来の廃棄屑収集装置が紙屑を導出し難く、紙屑が廃棄屑収集装置の内部で自発燃焼が発生する場合、作業者が消火し難いため、廃棄屑収集装置の安全性と効率が低下する。
【０００５】
上述した目的を実現するために、本考案は、収集箱を含む廃棄屑収集装置を提供する。前記収集箱の底部には、円錐状筒が連通し、前記円錐状筒の底部には、排出ゲートがヒンジ接続され、前記排出ゲートの表面には、バックルが回転可能に接続され、前記円錐状筒の表面の底部には、係止柱が設けられ、前記収集箱の右側壁の表面には、ブラケットが溶接され、前記ブラケットの頂部の表面には、水タンクが設けられ、前記水タンクの頂部の表面には、手動回転ポンプが設けられ、前記収集箱の右側壁の表面の頂部には、套管が嵌合して接続され、前記套管の内腔には、霧化ノズルが挿入され、前記収集箱の表面には、観察窓が嵌合して接続される。バックルと係止柱を設けることにより、廃棄屑収集装置における廃棄屑が導出されやすい。また、円錐状筒を設けることにより、廃棄屑の導出速度が速くなる。さらに、廃棄屑収集装置の内部で自発燃焼が発生する場合、手動回転ポンプを手動で回すことにより、水タンクにおける水が霧化ノズルに輸送され、廃棄屑収集装置における廃棄屑に対して消火することができる。
【０００６】
好ましくは、前記係止柱は、前記バックルの真上に位置する。
【０００７】
好ましくは、前記バックルは、前記係止柱に係合して接続される。これにより、バックルを回転させることにより、バックルと係止柱が離間し、排出ゲートが開く。
【０００８】
好ましくは、前記手動回転ポンプの入力端は、管路を介して水タンクの出力端に接続される。手動回転ポンプにより、水タンク中における水を抽出することができる。
【０００９】
好ましくは、前記霧化ノズルの入力端は、管路を介して手動回転ポンプの出力端に接続される。手動回転ポンプにより、水が霧化ノズルに輸送される。
【００１０】
好ましくは、前記収集箱の内腔の右側壁の頂部には、前記套管の頂部の一方側に位置する第１ストッパーが設けられる。第１ストッパーにより霧化ノズルを保護することにより、霧化ノズルの使用安全性が向上する。
【００１１】
好ましくは、前記手動回転ポンプの頂部の一方側には、第２ストッパーが設けられ、前記第２ストッパーの一端には、収集箱が接続される。第２ストッパーにより手動回転ポンプを保護することにより、手動回転ポンプが向上する。
【００１２】
好ましくは、前記収集箱の頂部の表面には、供給パイプが設けられる。供給パイプにより廃棄屑を廃棄屑収集装置に入れることができる。
【００１３】
好ましくは、前記供給パイプの頂部の表面には、蓋板が設けられる。蓋板により密封効果を奏することにより、雨水が廃棄屑収集装置に入ることが防止される。
【００１４】
好ましくは、前記収集箱の両外側壁の頂部には、それぞれ吊耳が溶接される。吊耳により廃棄屑収集装置を吊るして設けることができ、廃棄屑収集装置の今後の搬運が簡単になる。
【考案の効果】
【００１５】
本考案の態様は、下記の有益な効果を奏する。
本考案では、収集箱と円錐状筒を設けることにより、廃棄屑が収集される。また、バックルを回転させることにより、バックルと係止柱が離間し、排出ゲートが開く。円錐状筒が錐状であるため、廃棄屑の導出速度が速くなり、廃棄屑の排出速度が速くなる。ブラケットを設けることにより、水タンクが支持される。廃棄屑収集装置の内部で自発燃焼が発生する場合、手動回転ポンプを手動で回すことにより、水タンクにおける水が霧化ノズルに輸送され、廃棄屑収集装置における廃棄屑に対して消火することができ、収集装置の使用安全性が向上する。円錐状筒２を設けることにより、廃棄屑の導出速度が速くなる。
【００１６】
本考案では、第１ストッパーと第２ストッパーにより霧化ノズルと手動回転ポンプを保護することにより、両者の使用安全性が向上する。観察窓を設けることにより、廃棄屑収集装置における廃棄屑の収拾量を観察することができ、タイムリーに廃棄屑を導出することができる。供給パイプにより廃棄屑を廃棄屑収集装置に入れることができる。蓋板により密封効果を奏することにより、雨水が廃棄屑収集装置に入ることが防止される。吊耳により廃棄屑収集装置を吊るして設けることができ、廃棄屑収集装置の今後の搬運が簡単になる。
【図面の簡単な説明】
【００１７】
【図１】本考案の実施例に係る全体構造模式図である。
【図２】本考案の実施例に係る内部構造模式図である。
【図３】本考案の実施例に係るＡ部分の構造模式図である。
【図４】本考案の実施例に係るＢ部分の構造模式図である。
【考案を実施するための形態】
【００１８】
図１−４に示すように、本考案のある様態によれば、収集箱１を含む廃棄屑収集装置は、前記収集箱１の底部には、円錐状筒２が連通し、前記円錐状筒２の底部には、排出ゲート３がヒンジ接続され、前記排出ゲート３の表面には、バックル４が回転可能に接続され、前記円錐状筒２の表面の底部には、係止柱５が設けられ、前記収集箱１の右側壁の表面には、ブラケット６が溶接され、前記ブラケット６の頂部の表面には、水タンク７が設けられ、前記水タンク７の頂部の表面には、手動回転ポンプ８が設けられ、前記収集箱１の右側壁の表面の頂部には、套管９が嵌合して接続され、前記套管９の内腔には、霧化ノズル１０が挿入され、前記収集箱１の表面には、観察窓１３が嵌合して接続される。バックル４と係止柱５を設けることにより、廃棄屑収集装置における廃棄屑が導出されやすい。また、円錐状筒２を設けることにより、廃棄屑の導出速度が速くなる。さらに、廃棄屑収集装置の内部で自発燃焼が発生する場合、手動回転ポンプ８を手動で回すことにより、水タンク７における水が霧化ノズル１０に輸送され、廃棄屑収集装置における廃棄屑に対して消火することができる。
【００１９】
前記係止柱５は、前記バックル４の真上に位置する。
【００２０】
前記バックル４は、前記係止柱５に係合して接続される。これにより、バックル４を回転させることにより、バックル４と係止柱５が離間し、排出ゲート３が開く。
【００２１】
前記手動回転ポンプ８の入力端は、管路を介して水タンク７の出力端に接続される。手動回転ポンプ８により、水タンク７中における水を抽出することができる。
【００２２】
前記霧化ノズル１０の入力端は、管路を介して手動回転ポンプ８の出力端に接続される。手動回転ポンプ８により、水が霧化ノズル１０に輸送される。
【００２３】
前記収集箱１の内腔の右側壁の頂部には、前記套管９の頂部の一方側に位置する第１ストッパー１１が設けられる。第１ストッパー１１により霧化ノズル１０を保護することにより、霧化ノズル１０の使用安全性が向上する。
【００２４】
前記手動回転ポンプ８の頂部の一方側には、第２ストッパー１２が設けられ、前記第２ストッパー１２の一端には、収集箱１が接続される。第２ストッパー１２により手動回転ポンプ８を保護することにより、手動回転ポンプ８が向上する。
【００２５】
前記収集箱１の頂部の表面には、供給パイプ１４が設けられる。供給パイプ１４により廃棄屑を廃棄屑収集装置に入れることができる。
【００２６】
前記供給パイプ１４の頂部の表面には、蓋板１５が設けられる。蓋板１５により密封効果を奏することにより、雨水が廃棄屑収集装置に入ることが防止される。
【００２７】
前記収集箱１の両外側壁の頂部には、それぞれ吊耳１６が溶接される。吊耳１６により廃棄屑収集装置を吊るして設けることができ、廃棄屑収集装置の今後の搬運が簡単になる。
【００２８】
なお、廃棄屑収集装置は、動作する際に、収集箱１の底部に円錐状筒２が連通するため、収集箱１と円錐状筒２により廃棄屑を収集することができる。円錐状筒２の底部に排出ゲート３がヒンジ接続され、排出ゲート３の表面には、バックル４が回転可能に接続され、円錐状筒２の表面の底部には、係止柱５が設けられ、係止柱５は、前記バックル４の真上に位置し、バックル４は、前記係止柱５に係合して接続されるため、バックル４を回転させることにより、バックル４と係止柱５が離間し、排出ゲート３が開く。円錐状筒２が錐状であるため、廃棄屑の導出速度が速くなり、廃棄屑の排出速度が速くなる。収集箱１の右側壁の表面にブラケット６が溶接され、ブラケット６の頂部の表面に水タンク７が設けられるため、水タンク７がブラケット６により支持される。収集箱１の右側壁の表面の頂部には、套管９が嵌合して接続され、套管９の内腔には、霧化ノズル１０が挿入されるため、套管９により霧化ノズル１０を固定して取り付けることができる。水タンク７の頂部の表面に手動回転ポンプ８が設けられ、手動回転ポンプ８の入力端は、管路を介して水タンク７の出力端に接続され、霧化ノズル１０の入力端は、管路を介して手動回転ポンプ８の出力端に接続されるため、廃棄屑収集装置の内部で自発燃焼が発生する場合、手動回転ポンプ８を手動で回すことにより、水タンク７における水が霧化ノズル１０に輸送され、廃棄屑収集装置における廃棄屑に対して消火することができる。廃棄屑収集装置の使用安全性が向上する。収集箱１の内腔の右側壁の頂部には、前記套管９の頂部の一方側に位置する第１ストッパー１１が設けられ、手動回転ポンプ８の頂部の一方側には、第２ストッパー１２が設けられ、前記第２ストッパー１２の一端には、収集箱１が接続されるため、第１ストッパー１１と第２ストッパー１２により霧化ノズル１０と手動回転ポンプ８を保護することにより、両者の使用安全性が向上する。収集箱１の表面に観察窓１３が嵌合して接続されるため、廃棄屑収集装置における廃棄屑の収拾量を観察することができ、タイムリーに廃棄屑を導出することができる。収集箱１の頂部の表面には、供給パイプ１４が設けられ、供給パイプ１４の頂部の表面には、蓋板１５が設けられる。供給パイプ１４により廃棄屑を廃棄屑収集装置に入れることができる。蓋板１５により密封効果を奏することにより、雨水が廃棄屑収集装置に入ることが防止される。収集箱１の両外側壁の頂部にそれぞれ吊耳１６が溶接されるため、吊耳により廃棄屑収集装置を吊るして設けることができ、廃棄屑収集装置の今後の搬運が簡単になる。
【００２９】
なお、本考案では、廃棄屑収集装置は、収集箱１と、円錐状筒２と、排出ゲート３と、バックル４と、係止柱５と、ブラケット６と、水タンク７と、手動回転ポンプ８と、套管９と、霧化ノズル１０と、第１ストッパー１１と、第２ストッパー１２と、観察窓１３と、供給パイプ１４と、蓋板１５と、吊耳１６と、を含む。上述した部品は、いずれも一般的な標準部品又は当業者にとって既知の部品であり、それらの構造及び原理はすべて、技術マニュアル又は従来の実験方法を通じて当業者に知られている。また、上記の電気部品は、各デバイスの正常な動作を保証するために、ここで過度に制限しない。
【符号の説明】
【００３０】
１：収集箱
２：円錐状筒
３：排出ゲート
４：バックル
５：係止柱
６：ブラケット
７：水タンク
８：手動回転ポンプ
９：套管
１０：霧化ノズル
１１：第１ストッパー
１２：第２ストッパー
１３：観察窓
１４：供給パイプ
１５：蓋板
１６：吊耳
【図１】
0003233402.tif 000003
【図２】
0003233402.tif 000004
【図３】
0003233402.tif 000005
【図４】
0003233402.tif 000006